(57)【特許請求の範囲】
【請求項１】
電磁石と、
開口を有した基板と、
前記開口を開閉可能な幕と、
前記電磁石により吸着される鉄片を保持し、前記鉄片が前記電磁石から離接するように移動可能であり、前記鉄片が前記電磁石から離れるようにバネにより付勢され、前記幕を駆動する駆動部材と、
前記電磁石を挟んで保持する一対の挟持部を有し、前記基板に対向した保持板と、を備え、
前記電磁石は、前記基板に係合する規制部を有し、
前記規制部を前記基板に係合させる前の状態では、前記一対の挟持部は前記電磁石から前記鉄片が離れる方向に弾性変形可能であって、
前記規制部を前記基板に係合させた後の状態では、前記電磁石から前記鉄片が離れる方向への該電磁石の移動の規制が可能である、フォーカルプレーンシャッタ。
【請求項２】
前記一対の挟持部は、前記鉄片が前記電磁石から離れる方向に該電磁石を挟んで保持する、請求項１のフォーカルプレーンシャッタ。
【請求項３】
前記規制部は、前記電磁石の姿勢が傾くことを規制している、請求項１又は２のフォーカルプレーンシャッタ。
【請求項４】
前記規制部は、前記挟持部から前記電磁石が離脱することを規制している、請求項１乃至３の何れかのフォーカルプレーンシャッタ。
【請求項５】
前記規制部は、該電磁石から前記基板に向けて延在した突状である、請求項１乃至４の何れかのフォーカルプレーンシャッタ。
【請求項６】
前記電磁石は、前記鉄片との間で磁力が生じる鉄芯、前記鉄芯を励磁するコイル、前記コイルが巻回されたコイルボビン、を備え、
前記規制部は、前記コイルボビン又は前記鉄芯に設けられている、請求項１乃至５の何れかのフォーカルプレーンシャッタ。
【請求項７】
請求項１乃至６の何れかのフォーカルプレーンシャッタを備えた光学機器。
【発明の詳細な説明】
【技術分野】
【０００１】
本発明は、フォーカルプレーンシャッタ及び光学機器に関する。
【背景技術】
【０００２】
フォーカルプレーンシャッタは、電磁石、開口を有した基板、開口を開閉可能な幕、幕を駆動する駆動部材を備えている。駆動部材は、電磁石が吸着可能である鉄片を保持し、鉄片が電磁石から離接するように移動可能であり、鉄片が電磁石から離れるように駆動バネにより付勢されている。特許文献１には、このようなフォーカルプレーンシャッタが開示されている。
【先行技術文献】
【特許文献】
【０００３】
【特許文献１】特開平９−１３３９４４号公報
【発明の概要】
【発明が解決しようとする課題】
【０００４】
最近のフォーカルプレーンシャッタでは幕の速度の高速化が求められている。幕速の高速化により駆動バネのバネ力が強くなると、電磁石を弾性係止により固定する構成の場合は電磁石が駆動バネに引っ張られて位置が安定しない恐れがある。電磁石の位置が不安定だと、電磁石から離れる時の鉄片の位置がバラつく恐れがある。この結果、幕の速度にバラつきが発生する恐れがある。
【０００５】
そこで本発明は、高速化されたフォーカルプレーンシャッタでも電磁石の組立性を損なうことなく、幕の速度のバラつきを抑制したフォーカルプレーンシャッタ及び光学機器を提供することを目的とする。
【課題を解決するための手段】
【０００６】
上記目的は、電磁石と、開口を有した基板と、前記開口を開閉可能な幕と、前記電磁石により吸着される鉄片を保持し、前記鉄片が前記電磁石から離接するように移動可能であり、前記鉄片が前記電磁石から離れるようにバネにより付勢され、前記幕を駆動する駆動部材と、弾性変形可能であり前記電磁石を挟んで保持する一対の挟持部を有し、前記基板に対向した保持板と、を備え、前記電磁石は、前記基板に係合することにより該電磁石から前記鉄片が離れる方向への該電磁石の移動を規制する規制部を有している、フォーカルプレーンシャッタによって達成できる。
【０００７】
鉄片が離れる方向への電磁石の移動が規制されることにより、電磁石から離れる時の鉄片の位置のバラつきが抑制される。これにより、幕の速度のバラつきが抑制される。
【０００８】
上記目的は、上記フォーカルプレーンシャッタを備えた光学機器によっても達成できる。
【発明の効果】
【０００９】
本発明によれば、幕の速度のバラつきを抑制したフォーカルプレーンシャッタ及び光学機器を提供できる。
【図面の簡単な説明】
【００１０】
【図１】。図１は、本実施例のフォーカルプレーンシャッタの正面図である。である。
【図２】図２は、フォーカルプレーンシャッタの動作の説明図である。
【図３】図３は、フォーカルプレーンシャッタの動作の説明図である。
【図４】図４は、後幕駆動レバーが電磁石に吸着保持された状態にある後幕駆動レバー、電磁石周辺の断面図である。
【図５】図５は、基板、背面板を取外した状態の電磁石、保持板、プリント基板の斜視図である。
【図６】図６Ａ、６Ｂは、電磁石から後幕駆動レバーが離れる時の説明図である。
【図７】図７は、本実施例と異なる構造を有したフォーカルプレーンシャッタの説明図である。
【図８】図８は、本実施例のフォーカルプレーンシャッタの規制部の断面図である。
【図９】図９は、変形例のフォーカルプレーンシャッタの説明図である。
【発明を実施するための形態】
【００１１】
以下、図面を参照して実施例を説明する。
本実施例においては、羽根駆動装置の一例としてフォーカルプレーンシャッタについて説明する。図１は、本実施例のフォーカルプレーンシャッタの正面図である。図１に示すように、フォーカルプレーンシャッタ１は、基板１０、羽根２１ａ〜２４ａ、２１ｂ〜２４ｂ、駆動アーム３１ａ、３２ａ、３１ｂ、３２ｂ、電磁石７０Ａ、７０Ｂ等を有している。基板１０は合成樹脂製であり、矩形状の開口１１を有している。羽根２１ａ〜２４ａ、２１ｂ〜２４ｂは合成樹脂製であり、それぞれ薄く形成されている。また、駆動アーム３１ａ、３２ａ、３１ｂ、３２ｂは金属の薄板である。羽根２１ａ〜２４ａ、２１ｂ〜２４ｂは、開口１１から退避した位置と開口１１の少なくとも一部と重なる位置との間を移動する。
【００１２】
４枚の羽根２１ａ〜２４ａは、先幕２０Ａを構成する。４枚の羽根２１ｂ〜２４ｂは、後幕２０Ｂを構成する。先幕２０Ａ、後幕２０Ｂは、開口１１を開閉する。図１は、先幕２０Ａが重畳状態であり後幕２０Ｂが展開状態の場合を示している。図１の場合には、先幕２０Ａは開口１１から退避し、後幕２０Ｂが開口１１を閉鎖している。
【００１３】
先幕２０Ａは駆動アーム３１ａ、３２ａに連結されている。後幕２０Ｂは、駆動アーム３１ｂ、３２ｂに連結されている。これら駆動アーム３１ａ、３２ａ、３１ｂ、３２ｂは、それぞれ基板１０に揺動自在に支持されている。
【００１４】
基板１０には、駆動アーム３１ａ、３２ｂをそれぞれ駆動するための先幕駆動レバー４０Ａ、後幕駆動レバー４０Ｂが設けられている。先幕駆動レバー４０Ａ、後幕駆動レバー４０Ｂは、基板１０に所定の範囲を揺動可能に支持されている。詳細には、先幕駆動レバー４０Ａは基板１０に形成された軸を中心にして揺動可能に支持されている。後幕駆動レバー４０Ｂも同様である。先幕駆動レバー４０Ａ、後幕駆動レバー４０Ｂは、それぞれ先幕２０Ａ、後幕２０Ｂを駆動する駆動部材である。先幕駆動レバー４０Ａ、後幕駆動レバー４０Ｂは、合成樹脂製である。
【００１５】
駆動アーム３１ａは、先幕駆動レバー４０Ａに連結されている。駆動アーム３２ｂは、後幕駆動レバー４０Ｂに連結されている。先幕駆動レバー４０Ａが揺動することにより、駆動アーム３１ａが揺動し、これにより先幕２０Ａが移動する。同様に、後幕駆動レバー４０Ｂが揺動することにより、駆動アーム３２ｂが揺動し、これにより後幕２０Ｂが移動する。
【００１６】
先幕駆動レバー４０Ａ、後幕駆動レバー４０Ｂは、それぞれ符号は付さないが鉄片を保持している。先幕駆動レバー４０Ａは、鉄片が電磁石７０Ａに当接した位置から、鉄片が電磁石７０Ａから離反した位置の間を揺動可能である。即ち、先幕駆動レバー４０Ａは、鉄片が電磁石７０Ａから離接するように移動可能である。後幕駆動レバー４０Ｂについても同様である。
【００１７】
また、先幕駆動レバー４０Ａは、不図示のバネにより鉄片が電磁石７０Ａから離れる方向に付勢されている。同様に、後幕駆動レバー４０Ｂは、不図示のバネにより鉄片が電磁石７０Ｂから離れる方向に付勢されている。尚、後述の図４では、後幕駆動レバー４０Ｂの鉄片、バネについて示す。
【００１８】
先幕駆動レバー４０Ａ、後幕駆動レバー４０Ｂには、上述したバネを介して、それぞれラチェット車５０Ａ、５０Ｂが係合している。先幕駆動レバー４０Ａを電磁石７０Ａから離れる方向に付勢するバネの一端は、ラチェット車５０Ａに係合しており、バネの他端は先幕駆動レバー４０Ａに係合している。ラチェット車５０Ａの回転量を調整することにより、バネの付勢力を調整することができる。ラチェット車５０Ｂも、ラチェット車５０Ａと同様の機能を有している。
【００１９】
電磁石７０Ａは、通電されることにより、先幕駆動レバー４０Ａの鉄片を吸着可能となる。同様に、電磁石７０Ｂも通電されることにより、後幕駆動レバー４０Ｂの鉄片を吸着可能となる。
【００２０】
次に、フォーカルプレーンシャッタ１の動作について説明する。図１乃至３は、フォーカルプレーンシャッタ１の動作の説明図である。ここで、図２は、フォーカルプレーンシャッタ１の初期状態を示している。この初期状態においては、不図示のセットレバーが初期位置に固定されており、先幕２０Ａは展開して開口１１を閉鎖し、後幕２０Ｂは重畳して開口１１から退避している。この初期状態において、先幕駆動レバー４０Ａ、後幕駆動レバー４０Ｂの鉄片は、それぞれ電磁石７０Ａ、７０Ｂに当接し、これに吸着可能な初期位置にセットされている。
【００２１】
撮影に際して、カメラのレリーズボタンが押されると、電磁石７０Ａ、７０Ｂのコイルが通電され、先幕駆動レバー４０Ａの鉄片は電磁石７０Ａに吸着され、後幕駆動レバー４０Ｂの鉄片は電磁石７０Ｂに吸着される。その後、セットレバーは、先幕駆動レバー４０Ａ、後幕駆動レバー４０Ｂから退避する。ここで、先幕駆動レバー４０Ａ、後幕駆動レバー４０Ｂはそれぞれ電磁石７０Ａ、７０Ｂに吸着された状態で保持されている。
【００２２】
その後、電磁石７０Ａのコイルの通電が遮断されると、図３に示すように、先幕駆動レバー４０Ａはバネの付勢力に従って時計方向に回転する。これにより、先幕２０Ａは開口１１から退避して重畳状態となる。また、所定期間電磁石７０Ｂのコイルへの通電が維持され、後幕２０Ｂは開口１１から退避した状態に維持される。これにより、開口１１は開いた状態となる。図３は、露出中の状態を示している。
【００２３】
レリーズボタンが押されてから所定期間経過後に電磁石７０Ｂのコイルへの通電が遮断され、バネの付勢力により後幕駆動レバー４０Ｂが時計方向に回転する。これにより、後幕２０Ｂは展開して開口１１を閉鎖する。後幕駆動レバー４０Ｂは、基板１０に形成された溝の端部に当接する。図１は、露光作動を終了した直後の状態を示している。このようにして１回の撮影が終了する。
【００２４】
次に、不図示のセットレバーにより先幕駆動レバー４０Ａ、後幕駆動レバー４０Ｂが反時計方向に回転させられる。これにより、先幕２０Ａは展開されて開口１１を閉鎖し、後幕２０Ｂは重畳して開口１１から退避し、図２に示す初期状態に戻る。
【００２５】
次に、電磁石７０Ｂについて詳細に説明する。図４は、後幕駆動レバー４０Ｂが電磁石７０Ｂに吸着保持された状態にある後幕駆動レバー４０Ｂ、電磁石７０Ｂ周辺の断面図である。
【００２６】
後幕駆動レバー４０Ｂは、板状のベース部４１ｂ、ベース部４１ｂ上に立設した円筒部４１ｂ１、駆動ピン４１ｂ８、鉄片４６ｂを保持する保持部４２ｂ等を含む。円筒部４１ｂ１周りには、ラチェット車５０Ｂや、後幕駆動レバー４０Ｂに付勢力を与えるバネ５４Ｂなどが配置される。バネ５４Ｂの一端は後幕駆動レバー４０Ｂ側に固定され、バネ５４Ｂの他端はラチェット車５０Ｂ側に固定される。ラチェット車５０Ｂの回転量を調整することにより、バネ５４Ｂの付勢力を調整できる。バネ５４Ｂは、電磁石７０Ｂから離れる方向に後幕駆動レバー４０Ｂを付勢する。
【００２７】
円筒部４１ｂ１内には、基板１０に設けられた支軸１１ｂ１が嵌合する。後幕駆動レバー４０Ｂは、支軸１１ｂ１周りに所定の範囲を回転する。支軸１１ｂ１の先端には、ピン１１０により保持板９０が固定されている。保持板９０の上面側にはプリント基板１００が固定されている。保持板９０は、電磁石７０Ａ、７０Ｂを保持する。プリント基板１００は、電磁石７０Ａ、７０Ｂへの通電を制御する。
【００２８】
駆動ピン４１ｂ８は、ベース部４１ｂから下側に向けて延在している。駆動ピン４１ｂ８は、駆動アーム３２ｂと嵌合する。また、基板１０には、駆動ピン４１ｂ８を逃すための逃げ孔１３ｂが形成されている。基板１０には、支軸１１ｂ１と略同軸上にある支軸１１ｂ２が形成されている。駆動アーム３２ｂは、支軸１１ｂ２に回転可能に嵌合している。駆動アーム３２ｂは、支軸１１ｂ２を支点として所定の範囲を回転する。
【００２９】
保持部４２ｂは、ベース部４１ｂから上方に向けて立設した壁状である。保持部４２ｂには、鉄片４６ｂに嵌合したピン４５ｂが貫通している。ピン４５ｂは、保持部４２ｂに対してピン４５ｂの軸方向に所定範囲を移動可能に貫通している。保持部４２ｂと鉄片４６ｂとの間には、両者が離れるように付勢するバネ４７ｂが配置されている。バネ４７ｂは、鉄片４６ｂが後述する電磁石７０Ｂの鉄芯７６ｂに当接した際の衝撃を吸収する機能を有している。
【００３０】
背面板１８は、基板１０と対向している。基板１０と背面板１８との間に、駆動アーム３２ｂや後幕２０Ｂなどが収納される。背面板１８には、駆動ピン４１ｂ８を逃すための逃げ孔１８ｂ８、支軸１１ｂ２を逃すための逃げ孔１８ｂ２が形成されている。
【００３１】
図５は、基板１０、背面板１８を取外した状態の電磁石７０Ｂ、保持板９０、プリント基板１００の斜視図である。
電磁石７０Ｂは、鉄芯７６ｂと、鉄芯７６ｂを励磁するためのコイル７９ｂと、コイル７９ｂが巻回されたボビン７２ｂを有している。コイル７９ｂが通電されることにより、鉄芯７６ｂと鉄片４６ｂとの間には磁気的吸引力が発生する。
【００３２】
鉄芯７６ｂは、図４に示すようにＵ字状に形成されている。鉄芯７６ｂは、略平行に所定方向に延在した腕部７６ｂ１、７６ｂ２を有している。ボビン７２ｂには腕部７６ｂ１が挿入されている。腕部７６ｂ１、７６ｂ２のそれぞれは、先端部７６ｂ３、７６ｂ４を有している。先端部７６ｂ３、７６ｂ４の端面は、鉄片４６ｂに吸着する。
【００３３】
ボビン７２ｂは、コイル７９ｂが巻かれている筒状の胴体部、胴体部の両端のそれぞれ設けられたフランジ部７２ｂ１、７２ｂ２、コイル７９ｂの端部が巻かれる端子部７２ｂ３、基板１０と係合する規制部７２ｂ４、を有している。ボビン７２ｂは、合成樹脂製である。フランジ部７２ｂ１、７２ｂ２との間の部分にコイル７９ｂが巻かれている。端子部７２ｂ３は、半田によりプリント基板１００に形成されたパターンと導通可能に接続されている。これにより、電磁石７０Ｂとプリント基板１００とは電気的に接続される。
【００３４】
図４に示すように、規制部７２ｂ４は挟持部９５ｂの近傍において、基板１０に向けて延びている。規制部７２ｂ４は、フランジ部７２ｂ２側に設けられている。規制部７２ｂ４は、基板１０の支持部１２ｂ１と係合している。支持部１２ｂ１は、基板１０から保持板９０に向けて延びている。図５に示すように、規制部７２ｂ４は、鉄芯７６ｂを挟むように２つ設けられている。基板１０には、２つの規制部７２ｂ４と対応するように、２つの支持部１２ｂ１が設けられている。規制部７２ｂ４の先端には、円形状の凸部７２ｂ４１が設けられている。支持部１２ｂ１の先端には、凸部７２ｂ４１が嵌合する凹部１２ｂ１１が設けられている。凹部１２ｂ１１の形状も、凸部７２ｂ４１に対応するように円形状である。
【００３５】
保持板９０は、平板状の平板部９１と、平板部９１から立ち上がった一対の挟持部９２ｂ、９５ｂとを有している。保持板９０は、弾性変形可能な金属製の薄板状である。平板部９１には、プリント基板１００が固定されている。挟持部９２ｂ、９５ｂは、基板１０側に向けて突出するように平板部９１から立ち上がっている。挟持部９２ｂ、９５ｂは、電磁石７０Ｂを挟んで保持している。詳細には、挟持部９２ｂは、ボビン７２ｂと当接しつつ鉄芯７６ｂと係合し、挟持部９５ｂは、鉄芯７６ｂの基端側と係合している。挟持部９２ｂ、９５ｂは、ボビン７２ｂ及び鉄芯７６ｂを、鉄片４６ｂが鉄芯７６ｂから離れる方向に挟むことにより、電磁石７０Ｂを保持している。即ち、電磁石７０Ｂは、保持板９０に保持されている。挟持部９５ｂ、９２ｂは、鉄片４６ｂが鉄芯７６ｂから離れる方向に並んでいる。
【００３６】
電磁石７０Ｂを保持板９０に組み付ける際には、電磁石７０Ｂを挟持部９２ｂ、９５ｂの間に挿入する。ここで、挟持部９２ｂ、９５ｂは弾性変形可能であるため、挟持部９２ｂ、９５ｂの間に電磁石７０Ｂを挿入することは容易である。
【００３７】
尚、図５には、ラチェット車５０Ｂと係合してラチェット車５０Ｂの回転を停止させる爪部９９ｂを示している。爪部９９ｂは、保持板９０に一体に形成されている。
【００３８】
次に、後幕駆動レバー４０Ｂが電磁石７０Ｂに吸着保持された状態から、電磁石７０Ｂの通電が遮断され電磁石７０Ｂから後幕駆動レバー４０Ｂが離れる状態について説明する。図６Ａ、６Ｂは、電磁石７０Ｂから後幕駆動レバー４０Ｂが離れる時の説明図である。
【００３９】
図６Ａは、後幕駆動レバー４０Ｂが電磁石７０Ｂに吸着保持された状態を示している。鉄片４６ｂと鉄芯７６ｂとは、磁気的吸着力により当接した状態を維持する。この状態で電磁石７０Ｂへの通電が遮断されると、鉄芯７６ｂは磁気的吸着力を失うためバネ５４Ｂの付勢力により、鉄片４６ｂが鉄芯７６ｂから離れるように後幕駆動レバー４０Ｂが回転する。
【００４０】
これにより、図６Ｂに示すように、鉄片４６ｂは鉄芯７６ｂから離れる。鉄片４６ｂは、方向Ｄ１へ移動する。
【００４１】
図７は、本実施例と異なる構造を有したフォーカルプレーンシャッタの説明図である。図７は、図６Ａに対応している。図７に示したフォーカルプレーンシャッタは、本実施例とは異なり、規制部７２ｂ４を有していない。即ち、電磁石７０Ｘは、保持板９０の挟持部９２ｂ、９５ｂに挟まれることのみにより保持板９０に保持されている。図７に示すように、幕駆動レバー４０Ｂが電磁石７０Ｘに吸着保持された状態においては鉄片４６ｂと鉄芯７６ｂとは、磁気的吸着力により当接した状態を維持するが、図６Ａに示す場合と比べ、バネ５４Ｂの付勢力によって鉄芯７６ｂは、鉄片４６ｂの移動に追従するように若干方向Ｄ１に移動している。この理由は、電磁石７０Ｘを保持している挟持部９２ｂ、９５ｂが弾性変形容易だからである。図７には、電磁石７０Ｘに通電される前の挟持部９２ｂ、９５ｂの位置を点線で示している。この状態から、電磁石７０Ｘへの通電が遮断されると、鉄芯７６ｂは磁気的吸着力を失うためバネ５４Ｂの付勢力により、鉄片４６ｂが鉄芯７６ｂから離れるように後幕駆動レバー４０Ｂが回転する。図７に示す場合においては、電磁石７０Ｘを保持している挟持部９２ｂ、９５ｂが弾性変形しているため、図６Ａに示す場合と比べ、電磁石７０ＸがＤ１方向に移動している。このため、電磁石７０ＸのＤ１方向の位置が安定しづらく、特に撮影動作を高速で繰り返して行なう連写撮影時などでは電磁石７０ＸのＤ１方向の位置がバラついてしまう。
【００４２】
このように、鉄片４６ｂが鉄芯７６ｂから離れる時の電磁石７０Ｘの位置のバラつきにより、電磁石７０Ｘから離れる時の鉄片４６ｂの位置がバラつく恐れがある。鉄片４６ｂの位置がバラつくと後幕２０Ｂの走行開始位置がバラつき、この結果、後幕２０Ｂの速度にバラつきが発生する恐れがある。
【００４３】
本実施例では、図６Ａ、６Ｂに示すように、鉄芯７６ｂが方向Ｄ１に移動しないように、規制部７２ｂ４が、挟持部９５ｂの近傍において保持板９０と対向する位置で基板１０と係合している。これにより、電磁石７０Ｂの位置は基板１０に対して移動しない。よって、鉄芯７６ｂから離れる時の鉄片４６ｂの位置がバラつくことが抑制される。この結果後幕２０Ｂの速度のバラつきも抑制される。また、規制部７２ｂ４は保持板９０と対向する位置で基板１０と係合しているので電磁石の組立性を損なうことがない。
【００４４】
また、図６Ａ、６Ｂに示すように、規制部７２ｂ４は、方向Ｄ１に垂直な方向Ｄ２に延びている。これにより、電磁石７０Ｂが方向Ｄ２に沿って上下動することを規制している。換言すれば、規制部７２ｂ４は、電磁石７０Ｂが下方に移動して挟持部９２ｂ、９５ｂから離脱することを防止している。
【００４５】
図８は、本実施例のフォーカルプレーンシャッタの規制部の断面図である。凸部７２ｂ４１は、規制部７２ｂ４よりも径が小さい。凸部７２ｂ４１は凹部１２ｂ１１に嵌合している。凹部１２ｂ１１は、凸部７２ｂ４１と略同じ大きさに形成されている。凸部７２ｂ４１と凹部１２ｂ１１とが嵌合することにより、規制部７２ｂ４が、方向Ｄ２に対して傾くことが防止される。詳細には、凸部７２ｂ４１の外周面７２ｂ４２と、凹部１２ｂ１１の内周面１２ｂ１２とが当接することにより、規制部７２ｂ４が方向Ｄ２に対して傾くことが防止されている。これにより、電磁石７０Ｂの姿勢が基板１０に対して傾くことが防止される。
【００４６】
図７に示した構造の場合、電磁石７０Ｘは、挟持部９２ｂ、９５ｂに挟まれて保持されているのみであるので、基板１０ｘに対して傾斜した姿勢となる恐れがある。電磁石７０Ｘが基板１０ｘに対して傾斜した場合と傾斜していない場合とでは、先端部７６ｂ３、７６ｂ４の端面の位置が異なる。このため、鉄芯７６ｂから離れる時の鉄片４６ｂの位置がバラつく恐れがある。本実施例では、電磁石７０Ｂの姿勢が傾くことが防止されている。これによっても、鉄芯７６ｂから鉄片４６ｂが離れる位置のバラつきが抑制される。
【００４７】
尚、互いに勘合する凸部７２ｂ４１、凹部１２ｂ１１のそれぞれの形状は円形状であるが、このような形状に限定されない。例えば、凸部７２ｂ４１、凹部１２ｂ１１の形状は、三角形や四角形などの多角形であってもよい。
【００４８】
次に、変形例のフォーカルプレーンシャッタについて説明する。図９は、変形例のフォーカルプレーンシャッタの説明図である。尚、上述した実施例と同一又は類似の構成については、同一又は類似の符号を付することによりその説明を省略する。電磁石７０Ｂ´は、鉄芯７６ｂ´を有している。鉄芯７６ｂ´は、基板１０に係合する規制部７６ｂ８が設けられている。規制部７６ｂ８は、基板１０に近い腕部７６ｂ２に設けられ、基板１０側に突出している。ここで、規制部７６ｂ８と、基板１０に設けられた凹部１２ｂ１１´の内周面１２ｂ１２´とが当接することにより、規制部７６ｂ８が方向Ｄ２に対して傾くことが防止されている。このような構成によっても、鉄芯７６ｂ´から離れる時の鉄片４６ｂの位置がバラつくことが抑制される。この結果後幕２０Ｂの速度のバラつきも抑制される。
【００４９】
また、図９に示すように、規制部７２ｂ８は、方向Ｄ１に垂直な方向Ｄ２に延びている。これにより、電磁石７０Ｂ´が方向Ｄ２に沿って上下動することを規制している。換言すれば、規制部７２ｂ８は、電磁石７０Ｂ´が下方に移動して挟持部９２ｂ、９５ｂから離脱することを防止している。
【００５０】
以上本発明の好ましい実施形態について詳述したが、本発明は係る特定の実施形態に限定されるものではなく、特許請求の範囲に記載された本発明の要旨の範囲内において、変形・変更が可能である。
【００５１】
本実施例のフォーカルプレーンシャッタは、スチールカメラやデジタルカメラなどの光学機器に採用できる。
【００５２】
上記実施例においては、規制部７２ｂ４を有した電磁石７０Ｂについて説明した。しかしながら、電磁石７０Ａに、規制部７２ｂ４と同様の規制部を設けてもよい。これにより、先幕２０Ａの速度のバラつきが抑制される。
【００５３】
規制部７２ｂ４は、フランジ部７２ｂ２側に設けられているが、フランジ部７２ｂ１側の挟持部９２ｂの近傍に設けてもよい。
【符号の説明】
【００５４】
１  フォーカルプレーンシャッタ
１０  基板
１１  開口
１２ｂ１  支持部
２０Ａ  先幕
２０Ｂ  後幕
２１ａ〜２４ａ、２１ｂ〜２４ｂ  羽根
３１ａ、３２ａ、３１ｂ、３２ｂ  駆動アーム
４０Ａ  先幕駆動レバー
４０Ｂ  後幕駆動レバー
４１ｂ  ベース部
４１ｂ８  駆動ピン
４２ｂ  保持部
４６ｂ  鉄片
７０Ａ、７０Ｂ  電磁石
７２ｂ  ボビン
７２ｂ４  規制部
７６ｂ  鉄芯
７９ｂ  コイル
【図１】
0005562111.tif 000002
【図２】
0005562111.tif 000003
【図３】
0005562111.tif 000004
【図４】
0005562111.tif 000005
【図５】
0005562111.tif 000006
【図６】
0005562111.tif 000007
【図７】
0005562111.tif 000008
【図８】
0005562111.tif 000009
【図９】
0005562111.tif 000010